(57)【特許請求の範囲】
【請求項１】
基材層の一方の面に順次に絵柄印刷層、隠蔽インキ層、当たりはずれ情報印刷層、接着剤層、シーラント層を積層した積層包装材料であって、前記接着剤層が前記当たりはずれ情報印刷層表面を覆わないようにパターンコートされ、前記当たりはずれ情報印刷層と前記シーラント層とが接着されずに間に空間を有する状態で積層され、前記シーラント層を内面にして製袋することを特徴とするくじ機能を有する積層包装材料。
【請求項２】
基材層の一方の面に順次に絵柄印刷層、隠蔽インキ層、当たりはずれ情報印刷層、接着剤層、中間層、シーラント層を積層した積層包装材料であって、前記接着剤層が前記当たりはずれ情報印刷層表面を覆わないようにパターンコートされ、前記当たりはずれ情報印刷層と前記中間層とが接着されずに間に空間を有する状態で積層され、前記シーラント層を内面にして製袋することを特徴とするくじ機能を有する積層包装材料。
【発明の詳細な説明】
【０００１】
【発明の属する技術分野】
本発明は、くじ機能を付与した積層包装材料に関するものである。
【０００２】
【従来の技術】
各種食品類を包装する包装材料には各種の機能、例えば、内容物保護性、加工適性、機械適性、便利性、商品性、経済性、衛生性、廃棄処理性などの機能が要求されている。前記各種機能の中で、便利性としては開封性、再封性、軽量性、携帯性などの機能が付与され、商品性としては透明性、硬さ、柔軟性、形の多様性、表面の輝き等の機能が付与される。さらに、これらの各種機能をすべて満足させる単体の包装材料はほとんど得られないため、主に、単層若しくは多層の基材フィルムに接着剤層を介してシーラント層を積層した積層包装材料が多く使用されている。従来、前記機能の商品性として、くじ機能を付与させたものとして、例えば、紙層の一方の面に当たりはずれ情報印刷層を部分的に印刷し、その表面をスクラッチ性を有する隠蔽インキ層で覆って積層したものがあるが、シール性等が無いために製袋して袋等にすることは出来なかった。
【０００３】
【発明が解決しようとする課題】
本発明の課題は、包装材料に要求される内容物保護性、機械適性、便利性、衛生性、経済性、廃棄物処理性などの基本機能を有し、かつ、くじ機能を有する積層包装材料を提供することにある。
【０００４】
【課題を解決するための手段】
本発明の請求項１に係る発明は、基材層の一方の面に順次に絵柄印刷層、隠蔽インキ層、当たりはずれ情報印刷層、接着剤層、シーラント層を積層した積層包装材料であって、前記接着剤層が前記当たりはずれ情報印刷層表面を覆わないようにパターンコートされ、前記当たりはずれ情報印刷層と前記シーラント層とが接着されずに間に空間を有する状態で積層され、前記シーラント層を内面にして製袋することを特徴とするくじ機能を有する積層包装材料である。
【０００５】
本発明の請求項２に係る発明は、基材層の一方の面に順次に絵柄印刷層、隠蔽インキ層
、当たりはずれ情報印刷層、接着剤層、中間層、シーラント層を積層した積層包装材料であって、前記接着剤層が前記当たりはずれ情報印刷層表面を覆わないようにパターンコートされ、前記当たりはずれ情報印刷層と前記中間層とが接着されずに間に空間を有する状態で積層され、前記シーラント層を内面にして製袋することを特徴とするくじ機能を有する積層包装材料である。
【０００６】
【作用】
本発明によれば、基材フィルムの一方の面に隠蔽インキ層を全面に積層し、その隠蔽インキ層表面に当たりはずれ情報印刷層を積層し、その上に前記当たりはずれ情報印刷層の表面を覆わないように接着剤層をパートコートして積層し、さらにその上にシーラント層又は中間層を介してシーラント層を積層しているので、包装材料としての要求機能、例えば内容物保護性、シール性等を有し、かつ、くじ機能を有している。
【０００７】
【発明の実施の形態】
本発明のくじ機能を有する積層包装材料を実施の形態に沿って以下に詳細に説明する。
【０００８】
図１（ａ）は本発明のくじ機能を有する積層包装材料の一実施例の側断面図であり、（ｂ）は本発明のくじ機能を有する積層包装材料の他の実施例の側断面図である。（ａ）の積層包装材料は基材層（１）の一方の面に絵柄印刷層（２）、隠蔽インキ層（３）、当たりはずれ情報印刷層（４）、接着剤層（５）、シーラント層（７）が積層されており、（ｂ）の積層包装材料は基材層（１）の一方の面に絵柄印刷層（２）、隠蔽インキ層（３）、当たりはずれ情報印刷層（４）、接着剤層（５）、中間層（６）、シーラント層（７）が積層されている。両方の積層包装材料共、接着剤層（５）が当たりはずれ情報印刷層（４）表面を覆うことがないようにパートコートされ、積層されており、当たりはずれ情報印刷層（４）と中間層（６）又は当たりはずれ情報印刷層（４）とシーラント層（７）との間に空間（８）を有し、接着されていない状態である。従って、この積層包装材料のシーラント層（７）を内面にして製袋し、その袋に各種食品類を包装した後に、袋を破り、内容物を取り出す際に当たりはずれ情報印刷層（４）と中間層（６）又はシーラント層（７）の界面が容易に剥がれ、当たりはずれが判読できるようになっている。
【０００９】
前記基材層（１）は、特に限定されないが、セロファンあるいは二軸延伸ポリプロピレンフイルム、二軸延伸ポリエステルフィルム、二軸延伸ナイロンフィルム又はアルミニウム若しくは酸化アルミニウム、酸化珪素などの無機酸化物を蒸着した各種蒸着フィルム等のプラスチックフィルムなどが好ましく、厚みは用途に応じて適宜選定する。
【００１０】
前記絵柄印刷層（２）及び当たりはずれ情報印刷層（４）は、特に限定されないが、通常使用されるニトロセルロース系樹脂、ポリアミド系樹脂、塩化ビニル／酢酸ビニル共重合体樹脂、ポリエステル系樹脂、塩化ゴム系樹脂又はポリウレタン系樹脂を主バインダーとする各種グラビアインキを用いて公知の印刷方法で印刷する。
【００１１】
前記隠蔽インキ層（３）は、前記各種樹脂からなる主バインダーにアルミニウム粉及びアルミナ白、タルク、炭酸カルシウム、硫酸バリウム、硫酸カルシウム、ケイソウ土、ケイ酸カルシウム等のいずれかの体質顔料を添加した隠蔽性を有する溶剤型グラビアインキを用いて、絵柄印刷層（２）を覆って基材層（１）の全面に公知のグラビア法、ロールコーテイング法、リバースコーテイング法等で積層する。厚みは１．５μｍ〜４．５μｍの範囲であれば十分隠蔽性が得られる。
【００１２】
前記接着剤層（５）は、ポリウレタン系樹脂、ポリエステル系樹脂等を主成分とする溶剤型接着剤あるいは無溶剤型接着剤等を使用し、かつ、前記当たりはずれ情報印刷層層（４）の表面を覆わないようにパートコートして積層する。積層方法はパートコートできる方法であれば良く、グラビアコート法が特に好ましい。塗布量は１．０〜５．０ｇ／ｍ2（乾燥状態）の範囲が好ましい。
【００１３】
前記中間層（６）は、単層フィルム若しくは積層フィルムが使用され、単層フィルムとしては、ガスバリア性を有するフィルムであれば特に限定されないが、二軸延伸ナイロンフィルムまたは二軸延伸ポリエステルフィルムが好ましい。積層フィルムとしては、同様にガスバリア性を有するものであれば特に限定されないが、前記二軸延伸ポリエステルフィルムに酸化珪素などの無機酸化物を蒸着した蒸着ポリエステルフィルム、二軸延伸ナイロンフィルムまたは二軸延伸ポリエステルフィルムにアルミニム箔を積層した二層フィルム等が好ましい。
【００１４】
前記シーラント層（７）はポリオレフィン系樹脂フィルムからなり、使用する樹脂としては低密度ポリエチレン樹脂、直鎖状低密度ポリエチレン樹脂、中密度ポリエチレン樹脂、高密度ポリエチレン樹脂、エチレン−α−オレフィン共重合体樹脂などのエチレン系樹脂や、ホモポリプロピレン樹脂、プロピレン−エチレンランダム共重合体、プロピレン−エチレンブロック共重合体、ポリプロピレン−α−オレフィン共重合体などのプロピレン系樹脂などの選択が可能であり、また、これらのオレフィン系樹脂をグラフト重合などにより酸変成した変成ポリオレフィン樹脂も使用可能である。上述したポリオレフィン系樹脂の単体又は２種以上からなるブレンド物でもかまわない。さらに、前記エチレン系樹脂若しくはプロピレン系樹脂からなるフィルムにアルミニウムなどを蒸着した蒸着フィルムでも良い。その厚みは２０〜１００μｍが適当であり、好ましくは３０〜６０μｍである。積層方法としては接着剤層を介してドライラミネート法で積層する。
【００１５】
【発明の効果】
本発明のくじ機能を有する積層包装材料は、基材層の一方の面に絵柄印刷層を覆って基材層全面に隠蔽インキ層を積層し、その隠蔽インキ層表面に当たりはずれ情報印刷層を積層し、さらに、前記当たりはずれ情報印刷層の表面を覆わないように接着剤層をパートコートして積層し、その上にシーラント層を積層するか又は中間層を介してシーラント層を積層した積層体からなっているので、当たりはずれ情報印刷層と中間層または当たりはずれ情報印刷層とシーラント層との間は空間になっており接着していない状態になっている。この積層包装材料を用いて製袋した袋に内容物を充填包装した商品から内容物を取り出す際に、袋を破って容易に当たりはずれ情報の判読ができ、かつ、包装材料としての内容物保護性、シール性他の要求される機能も有している。本発明のくじ機能を有する積層包装材料はお菓子、コーヒーなどの各種食品類の包装材料としての機能を有し、かつ、くじ機能を有する機能性包装材料として広く利用される。
【図面の簡単な説明】
【図１】（ａ）は本発明のくじ機能を有する積層包装材料の一実施例の側断面図であり、（ｂ）は本発明のくじ機能を有する積層包装材料の他の実施例の側断面図である。
【符号の説明】
１…基材層
２…絵柄印刷層
３…隠蔽インキ層
４…当たりはずれ情報印刷層
５…接着剤層
６…中間層
７…シーラント層
８…空間
【図１】
0004122820.tif 000002